(57)【要約】  端末プロビジョニングをサービスとして又はサービスのアクセスとして伝送するための、デジタル・ブロードキャスト伝送システムにおける装置及び方法が提供される。端末プロビジョニングは、例えば、端末又は端末のグループに対する構成パラメータ、データ、又はアプリケーションを端末に提供することができる。端末プロビジョニングの伝送は、例えば、サービス・フラグメント、アクセス・フラグメント、又はコンテンツ・フラグメントを含むことができるＥＳＧフラグメントにおいて達成することができる。１つの例では、サービス・フラグメントのタイプを識別することができるパラメータをＥＳＧフラグメントのサービス・フラグメントに含むことができる。サービス・フラグメントのタイプは、端末プロビジョニング・サービスとして示すことができる。別の例では、端末プロビジョニングをサービス又はサービスのアクセスとして示すためのパラメータを、ＥＳＧフラグメントのアクセス・フラグメントに含むことができる。さらに、コンテンツ・フラグメントは、端末プロビジョニング・メッセージをファイルとして含むことができる。
2009512305.tif 000002
【特許請求の範囲】
【請求項１】
データ管理プロビジョニング・メッセージを含む、データ管理メッセージであるファイルに対応するパラメータを提供し、
前記ファイルに対応するタイプを宣言し、
前記ファイルを端末に分散する、
ステップを含むことを特徴とする方法。
【請求項２】
前記ファイルに対応する前記パラメータは、サービス・ガイドにおいて分散されることを特徴とする請求項１に記載の方法。
【請求項３】
前記サービス・ガイドはコンテンツ・フラグメントを含むことを特徴とする請求項２に記載の方法。
【請求項４】
前記宣言するステップは、前記コンテンツ・フラグメントにおける属性を提供するステップを含み、前記属性は前記ファイルの前記タイプを判断することを特徴とする請求項３に記載の方法。
【請求項５】
前記コンテンツ・フラグメントにおける前記属性は、ａｐｐｌｉｃａｔｉｏｎ／ｖｎｄ．ｓｙｎｃｍｌ．ｄｍ＋ｗｂｘｍｌの値を有することを特徴とする請求項４に記載の方法。
【請求項６】
前記属性は前記コンテンツ・フラグメントのエレメント内にあり、前記エレメントは前記ファイルの記述を提供することを特徴とする請求項５に記載の方法。
【請求項７】
前記属性は、前記コンテンツ・フラグメントのエレメント内にあり、前記エレメントはファイルに対応するパラメータを提供することを特徴とする請求項５に記載の方法。
【請求項８】
端末プロビジョニング・サービスのタイプを有するサービス・フラグメントを提供し、
前記サービスに対するアクセスを指定するアクセス・フラグメントを提供し、
ＥＳＧフラグメントを前記端末に分散する、
ステップを含み、前記ＥＳＧフラグメントは前記サービス・フラグメント及び前記アクセス・フラグメントを含む
ことを特徴とする方法。
【請求項９】
前記サービス・フラグメントは、前記対応するサービスの前記タイプを判断する属性を含むことを特徴とする請求項８に記載の方法。
【請求項１０】
前記属性は端末プロビジョニング・サービスを指定するパラメータを含むことを特徴とする請求項９に記載の方法。
【請求項１１】
前記パラメータは端末プロビジョニング・サービスに対応する値を有することを特徴とする請求項１０に記載の方法。
【請求項１２】
前記アクセス・フラグメントは前記サービスに対応するセッションのタイプを定める属性をさらに含むことを特徴とする請求項８に記載の方法。
【請求項１３】
前記属性は前記セッションのタイプをブロードキャスト伝送として定めることを特徴とする請求項１２に記載の方法。
【請求項１４】
前記分散するステップは、端末プロビジョニング・インターフェース上で、前記ファイルを前記端末に伝送するステップを含むことを特徴とする請求項１３に記載の方法。
【請求項１５】
前記アクセス・グラグメントは、前記サービスに対応する前記セッションのタイプを定める属性を含み、前記属性は前記セッションのタイプを対話型伝送スキームとして定めることを特徴とする請求項８に記載の方法。
【請求項１６】
前記端末プロビジョニングは端末プロビジョニング・インターフェース上で提供されることを特徴とする請求項１５に記載の方法。
【請求項１７】
コンテンツ・フラグメントを提供するステップをさらに含み、前記コンテンツ・フラグメントは前記端末プロビジョニング・メッセージをファイルとして指定し、前記ＥＳＧフラグメントは前記コンテンツ・フラグメントをさらに含むことを特徴とする請求項８に記載の方法。
【請求項１８】
前記ファイルはａｐｐｌｉｃａｔｉｏｎ／ｖｎｄ．ｓｙｎｃｍｌ．ｄｍ＋ｗｂｘｍｌのタイプを有することを特徴とする請求項１７に記載の方法。
【請求項１９】
前記コンテンツ・フラグメントはエレメント内に属性を含み、前記エレメントは前記ファイルの記述を提供することを特徴とする請求項１８に記載の方法。
【請求項２０】
前記コンテンツ・フラグメントは前記コンテンツ・フラグメントのエレメント内に属性を含み、前記エレメントは前記ファイルのパラメータを提供することを特徴とする請求項１８に記載の方法。
【請求項２１】
サービスに対応するサービス・フラグメントを提供し、
前記サービスに対するアクセスを指定するアクセス・フラグメントを提供する、
ステップを含み、前記アクセス・フラグメントは、エンコードされたデバイス管理メッセージに対応する値を有するエレメントを含んでおり、
ＥＳＧフラグメントを前記端末に分散する、
ステップを含み、前記ＥＳＧフラグメントは前記サービス・フラグメント及び前記アクセス・フラグメントを含む
ことを特徴とする方法。
【請求項２２】
前記アクセス・フラグメントは、前記サービスに対応するセッションのタイプを定める属性を含むことを特徴とする請求項２１に記載の方法。
【請求項２３】
前記属性は、前記セッションのタイプをブロードキャスト伝送として定めることを特徴とする請求項２２に記載の方法。
【請求項２４】
前記端末プロビジョニングは、端末プロビジョニング・インターフェース上で提供されることを特徴とする請求項２３に記載の方法。
【請求項２５】
前記アクセス・フラグメントは、前記サービスに対応する前記セッションのタイプを定める属性を含み、前記属性は前記セッションのタイプを対話型伝送スキームとして定めることを特徴とする請求項２１に記載の方法。
【請求項２６】
前記端末プロビジョニングは端末プロビジョニング・インターフェース上で提供されることを特徴とする請求項２５に記載の方法。
【請求項２７】
コンテンツ・フラグメントを提供するステップをさらに含み、前記コンテンツ・フラグメントは前記端末プロビジョニング・メッセージをファイルとして指定し、前記ＥＳＧフラグメントは前記コンテンツ・フラグメントをさらに含むことを特徴とする請求項２１に記載の方法。
【請求項２８】
前記ファイルはａｐｐｌｉｃａｔｉｏｎ／ｖｎｄ．ｓｙｎｃｍｌ．ｄｍ＋ｗｂｘｍｌのタイプを有することを特徴とする請求項２７に記載の方法。
【請求項２９】
前記コンテンツ・フラグメントはエレメント内に属性を含み、前記エレメントは前記ファイルの記述を提供することを特徴とする請求項２８に記載の方法。
【請求項３０】
前記コンテンツ・フラグメントは前記コンテンツ・フラグメントのエレメント内に属性を含み、前記エレメントは前記ファイルのパラメータを提供することを特徴とする請求項２８に記載の方法。
【請求項３１】
伝送のためにＥＳＧフラグメントに含まれるべきデータを受信するように構成された入力部と、
サービスのタイプを定める属性を含む前記ＥＳＧフラグメントに関連する端末プロビジョニング・データを判断するように構成された端末プロビジョニング・モジュールと、
前記ＥＳＧフラグメントを、前記属性を含むサービス・フラグメント及びアクセス・フラグメントとアセンブルするように構成されたＥＳＧフラグメント・アセンブラと、
を含み、前記属性は端末プロブジョニング・サービスに対応する値を有する
ことを特徴とする装置。
【請求項３２】
前記アクセス・フラグメントは、アクセスのタイプをブロードキャスト伝送として定める値を有するエレメントを含むことを特徴とする請求項３１に記載の装置。
【請求項３３】
端末プロビジョニングを与えるように構成された端末プロビジョニング・インターフェースをさらに含むことを特徴とする請求項３２に記載の装置。
【請求項３４】
前記アクセス・フラグメントはアクセスのタイプを対話型伝送スキームとして定める値を有するエレメントを含むことを特徴とする請求項３１に記載の装置。
【請求項３５】
端末プロビジョニングを提供する端末プロビジョニング・インターフェースをさらに含むことを特徴とする請求項３４に記載の装置。
【請求項３６】
伝送のためにＥＳＧフラグメントに含まれるべきデータを受信するように構成された入力部と、
前記ＥＳＧフラグメントに対応するサービスを使用するアプリケーション・タイプを定めるエレメントを含む該ＥＳＧフラグメントに関連する端末プロビジョニング・データを判断するように構成された端末プロビジョニング・モジュールと、
前記ＥＳＧフラグメントを、サービス・フラグメント及び前記エレメントを含むアクセス・フラグメントとアセンブルするように構成されたＥＳＧフラグメント・アセンブラと、
を含み、前記エレメントはエンコードされたデバイス管理メッセージに対応する値を有する、
ことを特徴とする装置。
【請求項３７】
前記アクセス・フラグメントは、アクセスのタイプをブロードキャスト伝送として定める値を有するエレメントを含むことを特徴とする請求項３６に記載の装置。
【請求項３８】
端末プロビジョニングを提供するように構成された端末プロビジョニング・インターフェースをさらに含むことを特徴とする請求項３７に記載の装置。
【請求項３９】
前記アクセス・フラグメントは、アクセスのタイプを対話型伝送スキームとして定める値を有するエレメントを含むことを特徴とする請求項３６に記載の装置。
【請求項４０】
端末プロビジョニングを提供するように構成された端末プロビジョニングをさらに含むことを特徴とする請求項３９に記載の装置。
【請求項４１】
前記ＥＳＧアセンブラは、前記ＥＳＧフラグメントをコンテンツ・フラグメントとさらにアセンブルし、前記コンテンツ・フラグメントは端末プロビジョニング・メッセージをファイルとして含むことを特徴とする請求項３９に記載の装置。
【請求項４２】
前記ファイルはａｐｐｌｉｃａｔｉｏｎ／ｖｎｄ．ｓｙｎｃｍｌ．ｄｍ＋ｗｂｘｍｌのタイプを有することを特徴とする請求項４１に記載の方法。
【請求項４３】
ＥＳＧフラグメントを受信するように構成された入力部と、
前記ＥＳＧフラグメントのサービス・フラグメント内にある第１のパラメータ及び前記ＥＳＧフラグメントのアクセス・フラグメント内にある第２のパラメータを識別するように構成された解析機と、
を含み、前記第１のパラメータ及び前記第２のパラメータはサービスに関連する端末プロビジョニングを示しており、
前記端末プロビジョニングをサービス及びサービスのアクセスの１つとして処理するように構成されたプロセッサと、
を含むことを特徴とする装置。
【請求項４４】
前記第１のパラメータは端末プロビジョニング・サービスに対応する値をもつタイプ属性であることを特徴とする請求項４３に記載の装置。
【請求項４５】
端末プロビジョニング・インターフェースをさらに含み、前記第２のパラメータは前記アクセス・タイプを記述するタイプ・パラメータであり、前記端末プロビジョニング・インターフェースは前記端末プロビジョニング・サービスを受信するように構成されることを特徴とする請求項４４に記載の装置。
【請求項４６】
前記第２のパラメータは、ブロードキャスト伝送に対応する値を有することを特徴とする請求項４５に記載の装置。
【請求項４７】
端末プロビジョニング・インターフェースをさらに含み、前記第１のパラメータは、端末プロビジョニング・サービスに対応する値をもつタイプ属性であり、前記第２パラメータはアクセス・タイプを記述するタイプ・パラメータであることを特徴とする請求項４３の装置。
【請求項４８】
前記第２のパラメータは対話型伝送スキームに対応する値を有することを特徴とする請求項４７に記載の装置。
【請求項４９】
前記第２のパラメータは前記サービスを使用するアプリケーション・タイプを定めるエレメントであることを特徴とする請求項４３に記載の装置。
【請求項５０】
前記第２のパラメータはａｐｐｌｉｃａｔｉｏｎ／ｖｎｄ．ｓｙｎｃｍｌ．ｄｍ＋ｗｂｘｍｌに対応する値を有することを特徴とする請求項４９に記載の装置。
【請求項５１】
前記サービスに関連し、第１のパラメータをサービス・フラグメント内に有し、第２のパラメータをアクセス・フラグメント内に有する電子サービス・ガイド（ＥＳＧ）フラグメントを受信する、
ステップを含み、前記第１のパラメータ及び前記第２のパラメータの少なくとも一方はサービスに関連する端末プロビジョニングを示し、
前記サービスに関連する端末プロビジョニングを受信する、
ステップを装置に実行させるようにするためのコンピュータ実行可能命令を含むコンピュータ可読媒体。
【請求項５２】
端末プロビジョニングを電子サービス・ガイド（ＥＳＧ）フラグメントに提供するように構成された送信機、
を含み、
伝送のためにＥＳＧフラグメントに含まれるべきデータを受信するように構成された入力部と、
サービスのタイプを定める属性を含む前記ＥＳＧフラグメントに関連する端末プロビジョニング・データを判断するように構成された端末プロビジョニング・モジュールと、
前記ＥＳＧフラグメントを、第１のパラメータを含むサービス・フラグメント及び第２のパラメータを含むアクセス・フラグメントとアセンブルするように構成されたＥＳＧフラグメント・アセンブラと、
を含み、前記第１のパラメータ及び前記第２のパラメータの少なくとも一方はサービスに関連する端末プロビジョニングを示し、
ＥＳＧフラグメントにおける端末プロビジョニングを受信するように構成された受信機、
を含み、
前記ＥＳＧフラグメントを受信するように構成された受信機入力部と、
前記第１のパラメータ及び前記第２のパラメータを識別するように構成された解析機と、
前記端末プロビジョニングをサービス及びサービスのアクセスとして処理するように構成されたプロセッサ
を含むことを特徴とするシステム。
【請求項５３】
前記アクセス・フラグメントはアクセスのタイプをブロードキャスト伝送として定める値を有するエレメントを含むことを特徴とする請求項５２に記載のシステム。
【請求項５４】
端末プロビジョニングを提供するように構成された端末プロビジョニング・インターフェースをさらに含むことを特徴とする請求項５３に記載のシステム。
【請求項５５】
アクセスのタイプを対話型伝送スキームとして定める値を有するエレメントを含むことを特徴とする請求項５２に記載のシステム。
【請求項５６】
端末プロビジョニングを提供するように構成された端末プロビジョニング・インターフェースをさらに含むことを特徴とする請求項５５に記載のシステム。
【請求項５７】
前記アクセス・フラグメントはａｐｐｌｉｃａｔｉｏｎ／ｖｎｄ．ｓｙｎｃｍｌ．ｄｍ＋ｗｂｘｍｌに対応する値を有するエレメントを含むことを特徴とする請求項５２に記載のシステム。
【請求項５８】
データ管理プロビジョニング・メッセージを含むファイルに対応するパラメータを提供するための手段、
を含み、前記ファイルはエンコードされたデータ管理メッセージであり、
前記ファイルに対応するタイプを宣言するための手段と、
前記ファイルを前記端末に分散するための手段と、
を含むことを特徴とする装置。
【請求項５９】
前記ファイルに対応する前記パラメータはサービス・ガイドにおいて分散されることを特徴とする請求項５８に記載の装置。
【請求項６０】
前記サービス・ガイドはコンテンツ・フラグメントを含むことを特徴とする請求項５９に記載の装置。
【請求項６１】
前記宣言するための手段は、前記コンテンツ・フラグメントにおける属性を提供するための手段を含み、前記属性は前記ファイルのタイプを判断することを特徴とする請求項６０に記載の装置。
【請求項６２】
前記コンテンツ・フラグメントにおける前記属性は、ａｐｐｌｉｃａｔｉｏｎ／ｖｎｄ．ｓｙｎｃｍｌ．ｄｍ＋ｗｂｘｍｌの値を有することを特徴とする請求項６１に記載の装置。
【請求項６３】
前記属性は前記コンテンツ・フラグメント内にあり、前記エレメントは前記ファイルの記述を提供することを特徴とする請求項６２に記載の装置。
【請求項６４】
前記属性は前記コンテンツ・フラグメント内にあり、前記エレメントは前記ファイルに対応するパラメータを提供することを特徴とする請求項６２に記載の装置。
【発明の詳細な説明】
【技術分野】
【０００１】
本発明の実施形態は一般に、通信ネットワークに関する。よりに具体的には、本発明の実施形態は、通信ネットワークにおける端末プロビジョニングを与えることを提供する。
【０００２】
（関連出願の相互参照）
本出願は、２００５年１０月１４日に出願された米国特許仮出願第６０／７２６，１７２号に基づく優先権を主張するものであり、その内容は引用により本明細書に組み入れられる。
【背景技術】
【０００３】
一般に、Ｅｌｅｃｔｒｏｎｉｃ  Ｓｅｒｖｉｃｅ  Ｇｕｉｄｅ（ＥＳＧ）は、エンド・ユーザがどのサービスを使用可能か、及びサービスにどのようにアクセスできるかを、端末が通信できるようにする。ＥＳＧフラグメントは、独立して存在するＥＳＧの部分である。従来、ＥＳＧフラグメントはＸＭＬドキュメントを含むが、最近では、例えば、ＳＤＰ（Ｓｅｓｓｉｏｎ  Ｄｅｓｃｒｉｐｔｉｏｎ  Ｐｒｏｔｏｃｏｌ）記述、テキスト・ファイル、又は画像といった膨大な項目を含んでいる。ＥＳＧフラグメントは、現在（又は将来）使用できるサービス又はブロードキャスト・プログラムの１つ又は幾つかの側面を記述する。このような側面は、例えば、自由なテキスト記述、スケジュール、地理的利用可能性、価格、購入方法、ジャンル、及びプレビュー画像又はクリップといった補足情報を含むことができる。オーディオ、ビデオ、及びＥＳＧフラグメントを含む他のタイプのデータは、多くの異なるプロトコルによる多様なタイプのネットワークを通して伝送されることができる。例えば、データは、インターネット・プロトコル（ＩＰ）及びユーザ・データグラム・プロトコル（ＵＤＰ）といった、インターネット・プロトコル・スートのプロトコルを用いた「インターネット」として通常称される、ネットワークの集合体を通して伝送することができる。データはしばしば、単一のユーザにアドレス指定されたインターネットを通して伝送される。しかしながら、一般的にマルチキャスティングとして知られる、ユーザのグループにアドレス指定することもできる。データが全ユーザにアドレス指定される場合には、ブロードキャストと呼ばれる。ＥＳＧデータは、デジタル・ブロードバンド・ブロードキャスト及び／又はマルチキャスト・ネットワークを含む、異なるタイプの無線デジタル・ネットワークを用いて伝送することができる。
【０００４】
端末プロビジョニングは、ブロードキャスト又はマルチキャストシステムにおいてパラメータを管理すること、及びパラメータ又はオブジェクトをネットワーク上の端末に分散することを提供する。現在、通信システムにおいて端末プロビジョニングを効率的に実行するための有効なシステム又は方法はない。
【０００５】
従って、通信システムにおける端末プロビジョニングのための方法及びシステムに対する必要性が存在する。
【発明の開示】
【０００６】
以下は、本発明の一部の態様の基本的な理解を提供するために、簡略化された要約を提示するものである。この要約は、本発明の広範な概要ではない。この要約は、本発明の手掛かり又は重要な要素を識別することも、本発明の範囲を詳細に描写することも意図するものではない。次の要約は、以下のより詳細な説明への前置きとして簡略化された方法で本発明の実施形態による幾つかの概念を提示するものにすぎない。
【０００７】
本発明の一例においては、端末プロビジョニングを端末に与えるための方法が提供される。この方法は、端末プロビジョニングに関連するファイルに対応するパラメータを与えることを含む。
【０００８】
本発明の別の例では、端末プロビジョニングに対応するパラメータがＥＳＧフラグメントのサービス・フラグメントに含まれる、端末プロビジョニングを端末に対するサービスとして与えるための方法が提供される。例えば、パラメータは、端末プロビジョニング・サービスに対応するサービスのタイプを示す属性とすることができる。
【０００９】
別の例では、端末プロビジョニングに対応するパラメータがＥＳＧフラグメントのアクセス・フラグメントに含まれる、端末プロビジョニングをサービスに対するアクセスとして与えるための方法が提供される。例えば、パラメータは、サービスを使用することができるアプリケーションのタイプを示すことができる。
【００１０】
別の例では、端末プロビジョニング・サービス又は端末プロビジョニングをサービスのアクセスとして含むＥＳＧフラグメントを生成するために送信機が提供される。
【００１１】
別の例では、端末プロビジョニングを受信し、解析して、端末プロビジョニングをサービスとして又は端末プロビジョニングをサービスのアクセスとして判断するための受信機が提供される。
【００１２】
別の例では、ＥＳＧフラグメントを受信し、端末プロビジョニングをサービスとして又は端末プロビジョニングをサービスのアクセスとして識別するために、コンピュータ実行可能命令が具現されたコンピュータ可読媒体を含むコンピュータ・プログラム製品が提供される。
【発明を実施するための最良の形態】
【００１３】
本発明の種々の実施形態及びその利点のより完全な理解は、同様の参照番号が同様の特徴を示す添付の図面を考慮して次の説明を参照することによって得ることができる。
【００１４】
種々の実施形態の次の説明において、その一部を形成し、本発明を実施することができる種々の実施形態を例証として示す添付図面を参照する。他の実施形態を用いることも可能であり、本発明の範囲及び精神から逸脱することなく、構造上かつ機能上の変更をなすこともできることを理解すべきである。
【００１５】
本発明の態様は、広範囲なネットワーク及び通信プロトコルにわたって用いることができる。図１は、本発明によるシステム及び方法を用いることができる無線通信システム１１０の例を示す。携帯情報端末（ＰＤＡ）、携帯電話、移動体端末、パーソナル・ビデオ・レコーダ、携帯用テレビ、パーソナル・コンピュータ、デジタルカメラ、デジタルカムコーダ、携帯用オーディオ装置、携帯用ラジオ、又はこれらの組み合わせといった１つ又はそれ以上のネットワーク対応の移動体装置１１２が、ブロードキャスト・ネットワーク１１４及び／又はセルラー・ネットワーク１１６を通して、サービス・ソース１２２と通信状態にある。移動体端末／装置１１２は、デジタル・ブロードキャスト受信機装置を含むことができる。サービス・ソース１２２は、実際のプログラム・コンテンツ又は情報、或いはそれらのサービス及びプログラムの記述を、サービス・ソースに提供することができる幾つかのサービス提供者に接続することができ、それぞれのサービス提供者は、さらに、コンテンツ又は情報を移動体装置１１２に提供する。幾つかのサービス・プロバイダは、これらに限られるものではないが、１つ又はそれ以上のテレビ及び／又はデジタルテレビ・サービス提供者、ＡＭ／ＦＭラジオ・サービス提供者、ＳＭＳ／ＭＭＳプッシュサービス提供者、インターネット・コンテンツ又はアクセス提供者を含むことができる。
【００１６】
データをブロードキャストする１つの方法は、ＩＰデータ・キャスティング（ＩＰＤＣ）ネットワークを用いることである。ＩＰＤＣは、デジタル・ブロードキャストとインターネット・プロトコルの組み合わせである。そのようなＩＰベースのブロードキャスト・ネットワークを通じて、１つ又はそれ以上のサービス・プロバイダは、オンライン新聞、ラジオ、及びテレビを含む、異なるタイプのＩＰサービスを供給することができる。これらのＩＰサービスは、オーディオ、ビデオ、及び／又は他のタイプデータの形態で、１つ又はそれ以上のメディア・ストリームに系統化される。これらストリームがいつどこで発生するかを判断するために、ユーザは、電子サービス・ガイド（ＥＳＧ）を参照する。ＤＶＢの１つのタイプは、携帯電話のような小型携帯機器で使用可能な能力及びサービスを増加させる、近年開発された技術であるＤｉｇｉｔａｌ  Ｖｉｄｅｏ  Ｂｒｏａｄｃａｓｔ−Ｈａｎｄｈｅｌｄ（ＤＶＢ−Ｈ）である。ＤＶＢ−Ｈは、１０Ｍｂｐｓのデータをバッテリ電源式端末装置へ送給するように指定される。
【００１７】
ＤＶＢトランスポート・ストリームは、第３者の送給ネットワークを経由して、圧縮されたオーディオ及びビデオ及びデータをユーザに送給する。Ｍｏｖｉｎｇ  Ｐｉｃｔｕｒｅ  Ｅｘｐｅｒｔ  Ｇｒｏｕｐ（ＭＰＥＧ）は、単一プログラム内のエンコードされたビデオ、オーディオ、及びデータが、他のプログラムと多重化されてトランスポート・ストリーム（ｔｒａｎｓｐｏｒｔ  ｓｔｒｅａｍ：ＴＳ）になる技術である。ＴＳは、ヘッダを含む、固定された長さのパケットをもつ、パケット化されたデータ・ストリームである。プログラム、オーディオ、及びビデオの個別要素はそれぞれ、固有のパケット識別（ｐａｃｋｅｔ  ｉｄｅｎｔｉｆｉｃａｔｉｏｎ：ＰＩＤ）を有するパケット内で運ばれる。受信機装置が、特定のプログラムの異なる要素をＴＳ内に配置できるようにするために、ＴＳに組み込まれるプログラム特有情報（Ｐｒｏｇｒａｍ  Ｓｐｅｃｉｆｉｃ  Ｉｎｆｏｒｍａｔｉｏｎ：ＰＳＩ）が供給される。加えて、ＭＰＥＧのプライベート区分のシンタックスに準拠する一組の表をＴＳに組み込むことができる。このことは、受信機装置が、ＴＳ内に含まれるデータを正確に処理できるようにする。
【００１８】
しかしながら、本発明の態様はまた、例えばＴ−ＤＡＢ、Ｔ／Ｓ−ＤＭＢ、ＩＳＤＢ−Ｔ、ＡＴＳＣ、ＭｅｄｉａＦＬＯといった他の従来型デジタル・モバイルブロードキャストシステム、及び３ＧＰＰ  ＭＢＭＳと３ＧＰＰ２ＢＣＭＣＳといった非従来型システムにも、適用可能である。
【００１９】
ブロードキャスト・ネットワーク１１４は、ＤＶＢ−ＨによるＩＰデータ放送の無線伝送を含むことができる。ブロードキャスト・ネットワーク１１４は、送信機１１８を介して、デジタル又はアナログ・テレビ信号のようなサービス、及びサービスに関連した補足的コンテンツをブロードキャストすることができる。ブロードキャスト・ネットワークはまた、ラジオ、テレビ、又はＩＰデータ放送ブロードキャスト・ネットワークを含むこともできる。ブロードキャスト・ネットワーク１１４はまた、テレビ信号、音声及び／又はビデオ・ストリーム、データ・ストリーム、ビデオ・ファイル、音声ファイル、ソフトウエア・ファイル、及び／又はビデオゲームを含むことができる補足的コンテンツを伝送することもできる。ＩＰデータ放送サービスを伝送する場合、サービス・ソース１２２は、ブロードキャスト・ネットワーク１１４を通して実際のプログラム・コンテンツをユーザ装置１１２に伝えることができ、セルラー・ネットワーク１１６を通して実際のプログラム・コンテンツについての、ユーザの権利及びアクセス情報などの付加的な情報を伝えることができる。
【００２０】
移動体装置１１２はまた、セルラー・ネットワーク１１６を通してサービス・ソース１２２と連絡を取ることができる。セルラー・ネットワーク１１６は、無線ネットワークと、基地局送信機１２０とを含むことができる。セルラー・ネットワークは、第２／第３世代（２Ｇ／３Ｇ）のセルラー方式データ通信ネットワーク、Ｇｌｏｂａｌ  Ｓｙｓｔｅｍ  ｆｏｒ  Ｍｏｂｉｌｅ  ｃｏｍｍｕｎｉｃａｔｉｏｎｓ  ｎｅｔｗｏｒｋ（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、又はＷＬＡＮネットワークのような他の無線通信ネットワークを含むことができる。
【００２１】
本発明の１つの態様において、移動体装置１１２は、セルラー・ネットワーク１１６内でデジタル無線通信を送信及び／又は受信するように構成された無線インタフェースを含むことができる。セルラー・ネットワーク１１６又はブロードキャスト・ネットワーク１１４を通して移動体装置１１２が受信した情報は、ユーザ選択（例えば、対話型伝送における）、アプリケーション、サービス、電子画像、音声クリップ、ビデオクリップ、及び／又はＷＴＡＩ（Ｗｉｒｅｌｅｓｓ  Ｔｅｌｅｐｈｏｎｙ  Ａｐｐｌｉｃａｔｉｏｎ  Ｉｎｔｅｒｆａｃｅ）メッセージを含むことができる。セルラー・ネットワーク１１６の一部として、受信機装置がセルラー・ネットワーク１１６の管理ドメイン内に位置する間、１つ又はそれ以上の基地局（図示せず）が受信機装置１１２とのデジタル通信をサポートすることができる。
【００２２】
図２に示されるように、移動体装置１１２は、ユーザ・インタフェース１３０、メモリ１３４及び／又は他の記憶装置に接続されたプロセッサ１２８、及びディスプレイ１３６を含むことができる。移動体装置１１２はまた、バッテリ１５０、スピーカ１５２、及びアンテナ１５４を含むこともできる。ユーザ・インタフェース１３０は、キーパッド、タッチ・スクリーン、音声インタフェース、４つの矢印キー、ジョイスティック、データグローブ、マウス、ローラーボール等をさらに含むことができる。
【００２３】
プロセッサ１２８が用いるコンピュータ実行可能命令及びデータ、並びに移動体装置１１２内の他のコンポーネントは、コンピュータ可読メモリ１３４内に格納することができる。メモリは、随意的に揮発性メモリ及び不揮発性メモリの両方を含む、読み出し専用メモリ・モジュール又はランダム・アクセス・メモリ・モジュールの任意の組み合わせにより実装することができる。移動体装置１２２が種々の機能を実行することを可能にするために、ソフトウェア１４０をメモリ１３４及び／又は記憶装置内に格納して、プロセッサ１２８に命令を与えることができる。代替的に、移動体装置１１２のコンピュータ実行可能命令の一部又は全てを、ハードウェア又はファームウェア（図示せず）内に組み入れることもできる。
【００２４】
特定のＤＶＢ受信機１４１を通して、例えば、ＤＶＢ−Ｈ又はＤＶＢ−ＭＨＰのようなＤｉｇｉｔａｌ  Ｖｉｄｅｏ  Ｂｒｏａｄｃａｓｔ（ＤＶＢ）規格に基づいたデジタル広帯域ブロードキャスト伝送を受信し、デコードし、処理するように、移動体装置１１２を構成することができる。移動体装置には、デジタル広帯域ブロードキャスト伝送のための他のタイプの受信機を設けることもできる。さらに、ＦＭ／ＡＭラジオ受信機１４２、ＷＬＡＮ送信機１４３、及び遠隔通信送信機１４４を通して、伝送を受信し、デコードし、処理するように、受信機装置１１２を構成することもできる。本発明の１つの態様において、移動体装置１１２は、無線データ・ストリーム（ＲＤＳ）メッセージを受信することができる。
【００２５】
ＤＶＢ規格の一例においては、１つのＤＶＢ１０Ｍｂｉｔ／ｓ伝送は、２００，５０ｋｂｉｔ／ｓの音声プログラム・チャネル、又は５０，２００ｋｂｉｔ／ｓのビデオ（ＴＶ）プログラム・チャネルを有することができる。Ｄｉｇｉｔａｌ  Ｖｉｄｅｏ  Ｂｒｏａｄｃａｓｔ−Ｈａｎｄｈｅｌｄ（ＤＶＢ−Ｈ）規格、或いはＤＶＢ−ＭＨＰ、ＤＶＢ−Ｓａｔｅｌｌｉｔｅ（ＤＶＢ−Ｓ）、ＤＶＢ−Ｔｅｒｒｅｓｔｒｉａｌ（ＤＶＢ−Ｔ）、又はＤＶＢ−Ｃａｂｌｅ（ＤＶＢ‐Ｃ）のような他のＤＶＢ規格に基づいて、伝送を受信し、デコードし、処理するように、移動体装置１１２を構成することができる。同様に、代替的に他のデジタル伝送形式を用いて、ＡＴＳＣ（Ａｄｖａｎｃｅｄ  Ｔｅｌｅｖｉｓｉｏｎ  Ｓｙｓｔｅｍｓ  Ｃｏｍｍｉｔｅｅ）、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）、ＩＳＤＢ−Ｔ）（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）、ＤＡＢ（Ｄｉｇｉｔａｌ  Ａｕｄｉｏ  Ｂｒｏａｄｃａｓｔｉｎｇ）、ＤＭＢ（Ｄｉｇｉｔａｌ  Ｍｕｌｔｉｍｅｄｉａ  Ｂｒｏａｄｃａｓｔｉｎｇ）、ＦＬＯ（Ｆｏｒｗａｒｄ  Ｌｉｎｋ  Ｏｎｌｙ）、又はＤＩＲＥＣＴＶのような、補足的サービスのコンテンツ及び可用性情報を送信することができる。さらに、デジタル伝送は、ＤＶＢ−Ｈ技術におけるように、タイム・スライス型のものにすることができる。タイム・スライシングは、移動体端末の平均電力消費を低減することができ、滑らかでシームレスなハンドオーバを可能にする。タイム・スライシングは、従来のストリーミング機構を用いてデータが伝送された場合に必要とされるビットレートと比べると、より大きい瞬時ビットレートを用いて一気にデータを送ることからなる。この場合、移動体装置１１２は、提示前にデコードされたタイム・スライス型伝送を格納するための、１つ又はそれ以上のバッファ・メモリを有することができる。バースト間の受信機のパワーは、パワー消費を減少させるためにオフにすることができる。
【００２６】
本発明の１つの例では、ＥＳＧフラグメントは、１つ又はそれ以上のデータ・ストリーム又はチャンネルで、加入者端末に送給されることができる。この例では、ＥＳＧ情報を加入者端末に送給するのに、（ＩＰパケット・ストリームといった）複数のチャンネルを用いることができる。例えば、ＥＳＧフラグメントは、サービス・プロバイダによって提供される来たるイベントの通知、サービス・プロバイダによって提供される現在のイベントにおける変更、又はユーザ又はユーザのグループに対する更新された又は進行中の情報の通知を、加入者端末に提供することができる。
【００２７】
ＥＳＧフラグメントは、コンテナでＥＳＧ情報をトランスポートすることができる、トランスポート・オブジェクトにおいて送給されることができる。従って、ＥＳＧフラグメントは、それ自体のトランスポート・オブジェクトにおいて送給されることができるコンテナに配置することができる。コンテナは、コンテナ・ヘッダとコンテナ・ペイロードをさらに含むことができ、例えば、コンテナ・ヘッダは、各コンテナがトランスポート・オブジェクト内部のどこに位置するかについての情報を提供することができる。１つの例では、トランスポート・オブジェクトは、単一のコンテナ、又は各コンテナが１つのＥＳＧフラグメントを含む複数のコンテナを含むことができる。図３は、本発明の少なくとも１つの態様による例示的なトランスポート・オブジェクトの図である。図３の例に説明されるように、トランスポート・オブジェクト３００は、コンテナ・ヘッダ３１０及びコンテナ・ペイロード３２０を含むことができるコンテナを含むことができる。１つの例では、コンテナ・ヘッダ３１０及びコンテナ・ペイロード３２０は、単一トランスポート・オブジェクト３００に組み込むことができる単一コンテナ３０５に組み込むことができ、コンテナ・ヘッダ３１０を、異なるトランスポートされたオブジェクト内でどこに各コンテナを配置するかに関する情報と再び結びつける必要がなくなる。代替的には、トランスポート・オブジェクト３００は、複数のコンテナを含むことができ、コンテナは、ＥＳＧフラグメント３４０を幾つでも含むことができる。コンテナ・ヘッダ３１０は、例えばコンテナ・ヘッダ３１０自体、及び／又はコンテナ・ペイロード３２０に関する情報といった、対応するＥＳＧフラグメントに関連する情報を含むことができる。
【００２８】
図３に示される例では、ＥＳＧフラグメント３４０は、コンテナ・ペイロード３２０に含まれる。コンテナ・ヘッダ３１０は、対応するコンテナ・ペイロード３２０内のＥＳＧフラグメントを識別し説明するための記述子を含むことができる。従って、これらに限定されるものではないが、トランスポート・オブジェクト３００におけるＥＳＧフラグメントの位置、又はフラグメント３４０に含まれる各々の長さといった、ＥＳＧフラグメントの特徴を識別することができる。例えば、１つの実施形態では、例えばオフセット値、開始点及び終了点、又は同類のものを提供することにより、フィールドは、特定のＥＳＧがコンテナ・ペイロード３２０内のどこで始まるかを指定する。他の実施形態においては、メタデータ３５０を、ヘッダ３１０内に位置する又はヘッダ３１０に近接する個々のＥＳＧフラグメント３４０、記述子エントリ、ＥＳＧフラグメント３４０、又はそれらの混合物と関連付けることができる。本発明の実施形態によれば、ＥＳＧフラグメント３４０との３ＧＰＰメタデータ・エンベロープの関連は、その特定のＥＳＧフラグメントに関連してヘッダ３１０に配置されるべき付加的なメタデータと置き換えてもよく、又はその必要性をなくしてもよい。
【００２９】
図４は、複数の単一Ｔｒａｎｓｐｏｒｔ  Ｏｂｊｅｃｔ（トランスポート・オブジェクト）の伝送の例を示す。図４に示されるように、現在の発明のトランスポート・オブジェクト（ＴＯ）は、例えばＦＬＵＴＥ（Ｆｉｌｅ  Ｄｅｌｉｖｅｒｙ  ｏｖｅｒ  Ｕｎｉｄｉｒｅｃｔｉｏｎａｌ  Ｔｒａｎｐｏｒｔ）セッション、又は純粋なＡｓｙｎｃｈｒｏｎｏｕｓ  Ｌａｙｅｒｅｄ  Ｃｏｄｉｎｇ（ＡＬＣ）で運ばれることができる。図４の例では、ＩＰアドレス、ポート番号、及びＴｒａｎｓｐｏｒｔ  Ｓｅｓｓｉｏｎ  Ｉｄｅｎｔｉｆｉｅｒ（ＴＳＩ）といったＥＳＧ  Ｒｏｏｔ  Ｃｈａｎｎｅｌ  Ｄａｔａは、ＩＰ／ＭＡＣ  Ｎｏｔｉｆｉｃａｔｉｏｎ  Ｔａｂｌｅ（ＩＮＴ  Ｔａｂｌｅ）に宣言され、それは、例えばＤＶＢ−ＨのＳＩ表の１つとして、ＤＶＢ−ＨにおけるＳＩ／ＰＳＩストリームにおいて運ばれる。ＥＳＧ  Ｒｏｏｔ  ＣｈａｎｎｅｌのＦＬＵＴＥセッションは、セッションのＦｉｌｅ  Ｄｅｌｉｖｅｒｙ  Ｔａｂｌｅ（ＦＤＴ）及び１つ又はそれ以上のトランスポート・オブジェクト（ＴＯ）を含む。告知カルーセルにおいて送給されることができるこれらトランスポート・オブジェクトは、ＥＳＧの異なる部分間のマッピングと、ＥＳＧデータが伝送される、異なるＥＳＧ方法へのアクセス・パラメータとを含む。ＥＳＧは、互いに異なることができる。例えば、ＥＳＧは、異なる言語、ジャンル、又はエンコーディングであることができる。
【００３０】
アクセス・パラメータの例は、例えば、ＩＰアドレス、ポート番号、ＴＳＩ、開始時間及び終了時間等を含むことができる。ＦＬＵＴＥセッションは従って、ＥＳＧデータが、異なるセッションにどのように分散されるかを宣言する。このマッピング・データを運ぶＦＬＵＴＥセッションのＴＯは、ＦＬＵＴＥセッションのＦＤＴに記述される。ＥＳＧマッピング・データは、１つ又は多数のＴＯ内で運ばれることができる。マッピングは、列挙型でバイナリとして、又は当業者に知られる種々の他の手段を通じて、ＸＭＬスキーマ、プレーンＡＳＣＩＩテキスト、マルチパートＭＩＭＥ又はＭＩＭＥヘッダといった構造化ＡＳＣＩＩテキストを用いて生成されることができる。この例でのＥＳＧデータは、１つ又はそれ以上のＴＯにおいて送給されることができ、それは例えば純粋なＡＬＣセッション内にあるとすることができる。ＥＳＧデータ又はその一部は、ＡＬＣセッションに加えて、又はその代わりに、本発明の幾つかの実施形態において、１つ又はそれ以上のＦＬＵＴＥセッションにおいて送給されることができる。
【００３１】
移動ブロードキャスト・サービスは、リッチな対話型メディアコンテンツを大量の移動オーディエンスに分配することを可能にする。こうしたサービスは、幾つか例を挙げると、ＤＶＢ−Ｔ、ＤＶＢ−Ｈ、Ｑｕａｌｃｏｍｍ  ＦＬＯ、Ｔ−ＤＭＢ、Ｓ−ＤＭＢ、ＷＬＡＮ、ＷｉＭＡＸ、３ＧＰＰ／ＭＢＭＳ、３ＧＰＰ２／ＢＣＭＣＳのような多数の異なるブロードキャスト・ネットワーク上で送ることができる。さらに、ネットワークは、２Ｇ、２．５Ｇ、及び３Ｇセルラーシステム、ＷＬＡＮ等の対話型サービスと組み合わせることができる。
【００３２】
端末プロビジョニングにおいては、移動ブロードキャスト・サービス内の端末は、ブロードキャスト・チャネル上で構成パラメータ又はオブジェクトを受信することができる。１つの例においては、端末で受信された構成パラメータは、特定のサービス・プロバイダからの端末のプログラミングを可能にすることができ、又は、サービス・プロバイダにより端末内のパラメータを更新することを可能にすることができる。さらに、端末プロビジョニングにより、相互認証が達成されて、データを受信する端末が、データを受信するのに認証された端末であるとして証明されることができるようになる。同様に、サービス・プロバイダは、端末で受信されるデータを提供するのに適当なサービス・プロバイダであるように証明されることができる。指定端末で受信されるパラメータ又はオブジェクトは、端末プロビジョニングにおいてブロードキャスト・チャネル上で分散されることができる。従って、端末に対する種々のパラメータ又はオブジェクトのプロビジョンは、ブロードキャスト・チャネル上で達成されて、端末構成、端末又はサービス・プロバイダの認証、ユーザ・クレデンシャルの構成、接続設定を管理することができる。
【００３３】
さらに、端末プロビジョニング機能は、Ｅｌｅｃｔｒｏｎｉｃ  Ｓｅｒｖｉｃｅ  Ｇｕｉｄｅ（ＥＳＧ）フラグメントにおいて宣言することができる。ＥＳＧフラグメントは、例えば、サービス・フラグメント、コンテンツ・フラグメント、又はアクセス・フラグメントを含む多数のデータ・フラグメントを含むことができる。例えば、サービス・ガイドのサービス・フラグメント、アクセス・フラグメント、又はコンテンツ・フラグメントを含む端末プロビジョニング機能を宣言するのに、ＥＳＧのどのフラグメントを用いてもよい。
【００３４】
端末プロビジョニング機能のために異なるインターフェースを提供することができる。１つの例においては、ネットワーク及び端末における端末プロビジョニング及び管理メッセージの交換をサポートするためにインターフェースが提供される。例えば、双方向の対話型ネットワークにおいては、ネットワーク及び端末の両方が端末プロビジョニングの交換をサポートする。インターフェースＴＰ−７は、ネットワーク及び端末における端末プロビジョニング及び管理メッセージの交換をサポートするための端末とＯＭＡ  ＢＣＡＳＴサブスクリプション管理との間のインターフェースの例である。こうしたインターフェースは、例えば、単一方向であってもよいし、双方向であってもよい。
【００３５】
別の例においては、端末においてプロビジョニング・メッセージの送給をサポートするインターフェースが提供される。例えば、端末プロビジョニング及び管理メッセージは、ブロードキャスト分散システム上で端末に与えられることができる。ネットワークは、プロビジョニング・メッセージの送給をサポートすることができる。或いは、ネットワークは、プロビジョニング・メッセージの送給をサポートしなくてもよい。インターフェースＴＰ−５は、この例によれば、端末プロビジョニング及び管理メッセージを端末に与えるための、ＯＭＡ  ＢＣＡＳＴ  Ｓｅｒｖｉｃｅ  Ｄｉｓｔｒｉｂｕｔｉｏｎ／Ａｄａｐｔａｔｉｏｎと端末との間のインターフェース例である。従って、この例では、端末プロビジョニングは、ＴＰ−５インターフェース及び「ＢｒｏａｄｃａｓｔＴｒａｎｓｍｉｓｓｉｏｎ」エレメントを含むことができるＡｃｃｅｓｓＴｙｐｅパラメータのようなタイプ・パラメータ上で宣言することができる。「ＢｒｏａｄｃａｓｔＴｒａｎｓｍｉｓｓｉｏｎ」エレメントは、さらに、ＢＣＡＳＴファイル分散セッションに対するアクセスを定めることができる。別の例では、ファイル・オブジェクトをプロビジョニング・メッセージとして送給又は交換することをサポートするインターフェースが提供される。１つの例においては、ファイル・オブジェクトは「ａｐｐｌｉｃａｔｉｏｎ／ｖｎｄ．ｓｙｎｃｍｌ．ｄｍ＋ｗｂｘｍｌ」のタイプのものである。インターフェースＴＰ−４は、ファイル・オブジェクトをプロビジョニング・メッセージとして送給又は交換することをサポートするための、ＯＭＡ  ＢＣＡＳＴ  Ｓｅｒｖｉｃｅ  Ｄｉｓｔｒｉｂｕｔｉｏｎ／ＡｄａｐｔａｔｉｏｎとＯＭＡ  ＢＣＡＳＴ  Ｓｕｂｓｃｒｉｂｔｉｏｎ  ｍａｎａｇｅｍｅｎｔとの間のインターフェース例である。この例によれば、データ又はインターフェースＴＰ−４上のデータの交換は、ＯＭＡ  ＤＭプロビジョニング・メッセージを含む。さらに、このインターフェース上では、ＯＭＡ  ＤＭプロビジョニング・メッセージはタイプ「ａｐｐｌｉｃａｔｉｏｎ／ｖｎｄ．ｓｙｎｃｍｌ．ｄｍ＋ｗｂｘｍｌ」のファイル・オブジェクトとして交換することができる。
【００３６】
１つの例においては、端末プロビジョニング機能の存在又はアクセスは、例えばＴＰ−５のような対応するインターフェース上で端末プロビジョニング・メッセージを送るファイル分散セッションにより、サービス・ガイドにおいて与えることができる。この例においては、プロビジョニング・メッセージは、プロビジョニング・メッセージを含むファイルとして送給することができる。プロビジョニング・メッセージを含むファイルのタイプの一例は、ＷＡＰ  Ｂｉｎａｒｙ  Ｅｘｔｅｎｓｉｂｌｅ  Ｍａｒｋｕｐ  Ｌａｎｇｕａｇｅ（ＷＢＸＭＬ）によりエンコードされるＯｐｅｎ  Ｍｏｂｉｌｅ  Ａｌｌｉａｎｃｅ  Ｄｅｖｉｃｅ  Ｍａｎａｇｅｍｅｎｔ  （ＯＭＡ  ＤＭ）メッセージのものとすることができる。
【００３７】
この例におけるＷＢＸＭＬによりエンコードされるＯＭＡ  ＤＭメッセージは、サービス・ガイドにおいて宣言することができる。例えば、サービス・ガイドは、エレメント、サブエレメント及び／又はプロビジョニング・メッセージ又はパラメータを含むファイルを含む対応するサービスの特性を特定するための属性を含むことができるコンテンツ・フラグメントを含むことができる。例えば、サービス・ガイドにおけるファイル・エレメントのコンテンツ−タイプ属性又はエレメントは、端末プロビジョニングを特定することができる。この例では、ＯＭＡ  ＤＭプロビジョニング・メッセージを含むファイルを含むことができるコンテンツ−タイプ・パラメータ又は属性をさらに含むことができるファイル・エレメント又はサブエレメントを含む、サービス・ガイドにおけるコンテンツ・フラグメントが提供される。この例では、ＯＭＡ  ＤＭプロビジョニング・メッセージを含むファイルは、例えば「ａｐｐｌｉｃａｔｉｏｎ／ｖｎｄ．ｓｙｎｃｍｌ．ｄｍ＋ｗｂｘｍｌ」の値を有することができる。
【００３８】
別の例では、サービス・ガイドにおけるコンテンツ・フラグメントは、ＦｉｌｅＤｅｓｃｒｉｐｔｉｏｎエレメント、サブエレメント、又はＯＭＡ  ＤＭプロビジョニング・メッセージを含むパラメータのようなパラメータを含むことができる。ファイルは、さらに、ＦｉｌｅＤｅｓｃｒｉｐｔｉｏｎエレメント又はサブエレメントのサブエレメント又は属性内に含まれることができる。一例として、ファイルは、「ａｐｐｌｉｃａｔｉｏｎ／ｖｎｄ．ｓｙｎｃｍｌ．ｄｍ＋ｗｂｘｍｌ」の値を有することができる。さらに、別の例として、ファイルは、ＦｉｌｅＤｅｓｃｒｉｐｔｉｏｎエレメント又はサブエレメントの「Ｃｏｎｔｅｎｔ−Ｔｙｐｅ」サブエレメント又は属性と共に含まれることができる。
【００３９】
ＯＭＡ  ＤＭプロビジョニング・メッセージを含むファイルは、必要に応じて、圧縮することができる。１つの例においては、圧縮は、ファイル全体に実行される。別の例では、圧縮は、ファイルの選択部分においてのみ実行される。圧縮は宣言されることができ、対応するパラメータの値を、ファイルが圧縮されることを示す値に設定することにより信号通知することができる。一例として「Ｃｏｎｔｅｎｔ−Ｅｎｃｏｄｉｎｇ」の値を「ａｐｐｌｉｃａｔｉｏｎ／ｇｚｉｐ」に設定して、圧縮を示すことができる。
【００４０】
別の例では、端末プロビジョニングは、サービス・ガイドのサービス・フラグメントにおけるサービスとして宣言されることができる。サービス・フラグメントは「タイプ」属性のような、サービス・ガイドのタイプを端末プロビジョニング・サービスとして記述するタイプ属性を含む、サービス・ガイドに関連するサービスのタイプを識別することができる属性を含むことができる。
【００４１】
別の例では、端末プロビジョニングを提供するために、サービス・ガイドにアクセス・フラグメントが提供される。アクセス・フラグメントは、アクセスのタイプを定めるためのエレメントをさらに含むことができるアクセス・タイプ・サブエレメントを含むことができる。例えば、端末プロビジョニングのために宣言されたインターフェースがＴＰ−５である場合には、アクセス・タイプは「ＢｒｏａｄｃａｓｔＴｒａｓｍｉｓｓｉｏｎ」エレメントを含むことができる。別の例では、端末プロビジョニングのために宣言されたインターフェースは、ＯＭＡ  ＢＣＡＳＴサブスクリプション管理と端末との間のインターフェースであるＴＰ−７である。この例においては、アクセス・タイプは「ＩｎｔｅｒａｃｔｉｖｅＴｒａｎｓｍｉｓｓｉｏｎＳｃｈｅｍｅ」エレメントを含むことができる。このことは、さらに、それぞれのＯＭＡ  ＤＭサーバに対するアクセスを定めることができる。
【００４２】
さらに、サービス・ガイドは、端末プロビジョン・メッセージをファイルとして指定する、エレメント、サブエレメント、又は属性を含むことができるコンテンツ・フラグメントをさらに含むことができる。ファイルは、例えば「ａｐｐｌｉｃａｔｉｏｎ／ｖｎｄ．ｓｙｎｃｍｌ．ｄｍ＋ｗｂｘｍｌ」の値を有することができる。
【００４３】
本発明の別の態様によれば、端末プロビジョニングは、サービスのアクセスとして宣言することができる。こうした例によれば、サービス・ガイドのサービス・フラグメントは、特定のタイプのサービスを定める。定められるタイプは、例えば、基本的なＴＶ、非対話型又は対話型、クリップキャスト、混合された基本的なＴＶ及びクリップキャストの対話型又は非対話型、基本的なラジオの対話型又は非対話型、ファイル・ダウンロード・サービス、ソフトウェア管理サービス等を含むどのようなタイプも含むことができる。さらに、対応するサービスに関連するサービス・ガイドのアクセス・フラグメントは、サービスを使用するためにアプリケーション・タイプにより用いることができるアクセス仕様を定めるためのＡｐｐｌｉｃａｔｉｏｎＳｐｅｃパラメータのようなパラメータを含むことができる。パラメータ（例えば、ＡｐｐｌｉｃａｔｉｏｎＳｐｅｃパラメータ）は、プロビジョニング・メッセージを含むファイルの値を有することができる。一例として、ファイルは「ａｐｐｌｉｃａｔｉｏｎ／ｖｎｄ．ｓｙｎｃｍｌ．ｄｍ＋ｗｂｘｍｌ」の値を有することができる。アクセス・フラグメントは、さらに、アクセスのタイプを記述するパラメータを含むことができる。このパラメータは、例えば、ＡｃｃｅｓｓＴｙｐｅパラメータとすることができる。アクセスのタイプを記述するパラメータは、通信ネットワークにおいて用いられるインターフェースのタイプによって異なることができる。例えば、タイプ・パラメータは、インターフェースがＴＰ−５インターフェースである場合には、ファイル分散セッション（例えば、Ｆｌｕｅｔｅセッション）を記述する「ＢｒｏａｄｃａｓｔＴｒａｎｓｍｉｓｓｉｏｎ」の値を有することができる。或いは、タイプ・パラメータは、インターフェースがＴＰ−７インターフェースである場合には、それぞれのサーバに対するアクセスを記述する「ＩｎｔｅｒａｃｔｉｖｅＴｒａｎｓｍｉｓｓｉｏｎＳｃｈｅｍｅ」の値を有することができる。
【００４４】
さらに、端末プロビジョニングをサービスのアクセスとして提供するサービス・ガイドは、さらに、端末プロビジョニングをファイルとして指定するコンテンツ・フラグメントを含むことができる。ファイルは、例えば「ａｐｐｌｉｃａｔｉｏｎ／ｖｎｄ．ｓｙｎｃｍｌ．ｄｍ＋ｗｂｘｍｌ」の値を有することができる。
【００４５】
図５は、本発明の１つの態様に基づく、受信機又は送信機の１つの例を示す部分ブロック図である。この例では、受信機５００は入力部５０１を含む。入力部５０１は、ＥＳＧフラグメントとして伝送される、又はＥＳＧフラグメント移送機構を用いて伝送される情報を受信するように構成することができる。ＥＳＧフラグメントは、さらに、インターフェースにより受信することができる。図５に示すように、ＴＰ−７インターフェース５０５は、例えば、双方向対話型ネットワーク上でＥＳＧを受信することができる。この例では、端末プロビジョニング・メッセージは、ネットワークと受信機との間で交換することができる。或いは、ＥＳＧは、ＴＰ−５インターフェース５０６により受信してもよい。この例では、端末プロビジョニング・メッセージは、ネットワークを通してレシーバ５００に送給されることができる。ネットワークは、さらに、受信機５００からデータを受信することができる。ＥＳＧは、ＴＰ−４インターフェース５０７により受信することができ、この場合、ＥＳＧにおけるプロビジョニング・メッセージは、ファイル・オブジェクトとして与えられることになる。例えば、ファイル・オブジェクトはタイプ「ａｐｐｌｉｃａｔｉｏｎ／ｖｎｄ．ｓｙｎｃｍｌ．ｄｍ＋ｗｂｘｍｌ」のものとすることができる。
【００４６】
受信機５００は、さらに、端末プロビジョニングに関連するＥＳＧフラグメントにおけるパラメータを識別するための解析機５０２を含むことができる。例えば、解析機は、ＯＭＡ  ＤＭプロビジョニング・メッセージを含むファイルに関連するパラメータを識別することができる。この例では、解析機５０２は、サービス・ガイドにおけるコンテンツ・フラグメントを識別することができる。解析機５０２は、さらに、端末プロビジョニングに関連するパラメータを判断するためにコンテンツ・フラグメント内の属性を識別することができる。一例として、属性は、ファイル記述（を提供するエレメントのコンテンツ・タイプ属性とすることができる例えば、ＦｉｌｅＤｅｓｃｒｉｐｔｉｏｎエレメント）。エレメントは、さらに、例えば、ファイルに関連するパラメータを提供するエレメントとすることができる。１つの例では、ファイルは、ａｐｐｌｉｃａｔｉｏｎ／ｖｎｄ．ｓｙｎｃｍｌ．ｄｍ＋ｗｂｘｍｌの値を有することができる。
【００４７】
或いは、ファイルに関連するパラメータは、帯域内で信号通知されることができる。この例では、Ｆｉｌｅ  Ｄｅｌｉｖｅｒｙ  Ｔａｂｌｅ（ＦＤＴ）におけるコンテンツ・タイプに関連する属性を用いることができる。例えば、解析機５０２は、ＦＤＴにおけるコンテンツ・タイプに関連する属性を識別することができる。この例では、ＦＤＴにおけるコンテンツ・タイプを用いることができる。
【００４８】
受信機５００は、さらに、端末プロビジョニングを識別するために、ＥＳＧフラグメント内から対応するパラメータを識別する解析機５０２を制御又は命令するためのプロセッサ５０３をさらに含むことができる。端末プロビジョニングに対応するデータは、出力部５０４で出力されることができる。例えば、データはユーザ又は加入者に対して表示されることができる。
【００４９】
１つの例では、端末プロビジョニングは、サービス・ガイドにおけるサービスとして宣言される。端末プロビジョニング情報を含むサービス・ガイドは、受信機入力部５０１において受信されて、タイプＴＰ−７（５０５）、ＴＰ−５（５０６）、又はＴＰ−４（５０７）を通知する。さらに、サービス・ガイドは、さらに、端末プロビジョニング・サービスを示す属性を含むことができるサービス・フラグメントを含むことができる。１つの例では、サービス・ガイドのフラグメントは、端末プロビジョニング・サービスに対応する値を有する「タイプ」属性を含む。
【００５０】
さらに、この例では、サービス・ガイドは、端末プロビジョニングに関連する情報を含むことができるアクセス・フラグメントを含むことができる。アクセス・フラグメントは、例えば、ネットワークに対する伝送及びアクセスのタイプを示すことができるタイプ属性（例えば、ＡｃｃｅｓｓＴｙｐｅ）を含むことができる。１つの例においては、サービス・ガイドは、ＴＰ−５インターフェース（５０６）により受信され、アクセス・フラグメントにおけるタイプ属性（例えば、ＡｃｃｅｓｓＴｙｐｅ）はブロードキャスト伝送を示す。別の例では、サービス・ガイドは、ＴＰ−７インターフェース（５０５）により受信され、アクセス・フラグメントにおけるタイプ属性（ＡｃｃｅｓｓＴｙｐｅ）は対話型伝送スキームを示す。
【００５１】
サービス・ガイドは、さらに、端末プロビジョニングを指定することができるコンテンツ・フラグメントを含むことができる。この例では、入力部５０１において受信されたサービス・ガイドは、端末プロビジョニング・メッセージを指定するファイルをコンテンツ・フラグメントに含むことができる。１つの例では、ファイルは、ａｐｐｌｉｃａｔｉｏｎ／ｖｎｄ．ｓｙｎｃｍｌ．ｄｍ＋ｗｂｘｍｌの値を有することができる。
【００５２】
受信機５００の解析機５０２は、サービス・ガイド内の別個のパラメータ又はエレメントを識別することができる。例えば、端末プロビジョニングがサービスとして宣言されたときには、解析機５０２は、入力部５０２で受信されたサービス・ガイドのサービス・フラグメント内のタイプ属性を識別することができる。タイプ属性は、端末プロビジョニング・サービスを示すことができる。さらに、解析機５０２は、サービス・ガイドのアクセス・フラグメント内のタイプ属性を識別することができる。アクセス・フラグメントにおけるタイプ属性は、ネットワークとの対話のタイプに基づいて変化してよい。例えば、端末プロビジョニングがＴＰ−５インターフェース（５０６）により宣言されたサービス・ガイドの場合には、アクセス・タイプ属性は、ブロードキャスト伝送とすることができる。或いは、端末プロビジョニングがＴＰ−７インターフェース（５０５）により宣言されたときには、アクセス・タイプ属性は、対話型伝送スキームとすることができる。
【００５３】
受信機は、さらに、プロビジョニング・ユニット５０８を含むことができる。プロビジョニング・ユニット５０８は、解析機５０２によりサービス・ガイドにおいて識別された端末プロビジョニング・パラメータ又はエレメントに基づいて、端末においてデータを処理することができる。１つの例では、受信機５００は、サービス・ガイドにおいて受信された端末プロビジョニング・パラメータに基づいて、サービス・プロバイダにより、受信機内のパラメータの更新を可能にすることができる。例えば、端末プロビジョニング・サービスを示すサービス・フラグメントにおけるタイプ属性、ブロードキャスト伝送を示すアクセス・フラグメントにおけるアクセス・タイプ属性、及びコンテンツ・フラグメントにおける端末プロビジョニング・メッセージを指定するファイルを含むサービス・ガイドは、インターフェースＴＰ−５（５０６）により受信することができる。解析機は、受信したパラメータ、エレメント、又はファイルを識別し、コンテンツ・フラグメントにおける端末プロビジョニング・メッセージを指定するファイルにおいて受信されたパラメータに基づいて、受信機５００内のパラメータを用いることができる。受信機は、さらに、コンテンツ・フラグメントにおいて受信された端末プロビジョニング・ファイル、又はサービス或いはアクセス・フラグメントにおいて受信された端末プロビジョニング・パラメータ又はエレメントに基づいて、あらゆる関連する機能を実行することができる。別の例として、受信機５００は、サービス・ガイドにおいて受信された端末プロビジョニング・ファイル及びパラメータに基づいて、サービス・プロバイダに対するアクセスを可能にすることができる。さらに、サービス・プロバイダは、サービス・ガイドに含まれる端末プロビジョニング・パラメータ又はファイルに基づいて、サービス・ガイドに関連するプログラム又はサービルに対するアクセスを与えることができる。１つの代替的な実施形態においては、サービス・プロバイダは、プロビジョニング・パラメータにより、プログラム又はサービスに対するアクセスを与えることができる。この例におけるサービス又はプログラムの一部だけにアクセスすることができ、これは、例えば、ブロードキャスト及び対話型サービスを可能にするパラメータを使用する能力に基づくものとすることができる。
【００５４】
別の例では、端末プロビジョニングは、サービスのアクセスとして宣言される。この例では、サービス・ガイドは、ＴＰ−４インターフェース（５０７）、ＴＰ−５インターフェース（５０６）、又はＴＰ−７インターフェース（５０５）のようなインターフェースにより入力部５０１で受信機５００において受信することができる。サービス・フラグメントは、端末プロビジョニングがサービスのアクセスとして宣言される端末プロビジョニングを含むことができる。この例では、サービス・ガイドは、タイプ属性をさらに含むことができるサービス・フラグメントを含むことができる。サービス・ガイドは、さらに、アクセス・フラグメントを含むことができる。アクセス・フラグメントは、サービス・ガイドの端末プロビジョニングに対応するアプリケーションを指定するエレメントを含むことができる。１つの例では、アクセス・フラグメントにおけるタイプ・エレメントは、ＡｃｃｅｓｓＴｙｐｅエレメントである。別の例では、タイプ・エレメントは、ａｐｐｌｉｃａｔｉｏｎ／ｖｎｄ．ｓｙｎｃｍｌ．ｄｍ＋ｗｂｘｍｌの値を有することができる。
【００５５】
この例におけるサービス・ガイドは、さらに、端末プロビジョニングを指定するファイルをさらに含むことができるコンテンツ・フラグメントを含むことができる。１つの例では、ファイルは、ａｐｐｌｉｃａｔｉｏｎ／ｖｎｄ．ｓｙｎｃｍｌ．ｄｍ＋ｗｂｘｍｌの値を有することができる。
【００５６】
端末プロビジョニングをサービスのアクセスとして宣言するサービス・ガイドは、例えば、インターフェースＴＰ−５により受信することができる。解析機５０２は、端末プロビジョニング・パラメータ、エレメント、又はファイルを識別するようにサービス・ガイドを解析することができる。この例では、サービス・ガイドは、アクセス・タイプをブロードキャスト伝送として示すタイプ属性をさらに含むアクセス・フラグメントを含む。別の例では、サービス・ガイドは、ＴＰ−７インターフェースにより受信され、アクセス・タイプ属性は、アクセス・タイプを対話型伝送スキームとして示す。
【００５７】
端末プロビジョニングに対応する又はこれを指定するパラメータ、エレメント、及びファイルを受信し、処理することができる。サービス・ガイド及び関連するパラメータ、エレメント、又はファイルは、出力部５０４により出力される。さらに、サービス・ガイドにおいて受信される端末プロビジョニングに関連する、受信されたパラメータ、エレメント、又はファイルに基づいて、プロビジョニング・ユニットは、さらに別の処理を実行することができる。例えば、受信機５００は、サービス・ガイドにおいて受信された端末プロビジョニング・パラメータ及びファイルに基づいて、特定のサービス・プロバイダに対して認証されることができる。
【００５８】
図６は、本発明の１つの態様による送信機の例を示す部分ブロック図である。この例では、送信機６００は、伝送のためにＥＳＧフラグメントに含まれるべきデータを受信する入力部６０１を含む。このデータは、例えば、サービス・プロバイダ又はブロードキャスト会社といった種々のソースから受信することができる。送信機６００は、プログラム又はサービスに対応するＥＳＧフラグメントをアセンブルする、又は処理するためのプロセッサ６０４をさらに含むことができる。図６は、識別子モジュール６０２及びアセンブラ６０３を含むプロセッサ６０４を示す。しかしながら、これらのコンポーネントのいずれも、所望であればプロセッサ６０４から分離されてもよい。
【００５９】
端末プロビジョニング・モジュール６０２は、ＥＳＧフラグメントに関連する端末プロビジョニングを判断することができる。例えば、サービス・プロバイダは、サービス・ガイド情報を、サービス・ガイドを受信することを認証された端末又は受信機のような特定の端末又は受信機にサービス・ガイド情報を伝送することを望むことができる。従って、認証された受信機に関する端末プロビジョニング情報は、送信機６００に伝送されることができ、サービス・ガイドに含まれるように端末プロビジョニング・モジュール６０２内で処理することができる。
【００６０】
送信機６００は、さらに、ブロードキャスト分散システム又はネットワークとインターフェースするインターフェースを含むことができる。例えば、送信機は、ＴＯ−４インターフェース（６０８）、ＴＰ−５インターフェース（６０７）、又はＴＰ−７インターフェース（６０６）を含むことができる。一例として、サービス・ガイドは、送信機６００から受信機又は受信機のグループに伝送され、この場合、受信機又は受信機のグループにおけるユーザ対話は与えられない。この例においては、送信機は、ＴＰ−５インターフェース（６０７）によりサービス・ガイドを送信することができる。別の例では、サービス・ガイドは、ＴＰ−７インターフェース（６０６）により伝送されることができる。
【００６１】
１つの例では、送信機６００は、サービスとして宣言された端末プロビジョニングを含むようにサービス・ガイドを処理する。この例では、アセンブラ６０３がネットワーク上での受信機又は受信機のグループに対する伝送のためにサービス・ガイドをアセンブルする。この例では、認証情報は、サービス・ガイドに含まれる端末プロビジョニング・パラメータ、エレメント、又はファイルにおいて指定される。アセンブラ６０３は、サービス・ガイドにおいてサービス・フラグメントを含むことができ、サービス・フラグメントは、さらに、タイプ属性を含む。この例では、タイプ属性は、端末プロビジョニング・サービスを示す値を有することができる。アセンブラ６０３は、さらに、サービス・ガイドにおいてアクセス・フラグメントを含むことができ、アクセス・フラグメントは、さらに、サービス・ガイドに対するアクセスを定めるタイプ・エレメントを含む。例えば、サービス・ガイド及び対応するプログラム又はサービスを受信機に伝送でき、受信機からの対話又は入力が示されないネットワーク・システムにおいては、アクセス・フラグメントのアクセス・タイプ属性がブロードキャスト伝送を示すことができ、サービス・ガイドはＴＰ−５インターフェース（６０７）により伝送されることができる。或いは、受信機からの対話又は入力が示されるシステムにおいては、アクセス・フラグメントのアクセス・タイプ属性は、対話型伝送スキームを示すことができ、サービス・ガイドはＴＰ−７インターフェース（６０６）により伝送されることができる。
【００６２】
さらに、この例では、アセンブラ６０３は、サービス・ガイドにおいてコンテンツ・フラグメントを含むことができ、コンテンツ・フラグメントは、端末プロビジョニング・メッセージを指定するファイルを含む。１つの例では、ファイルは、ａｐｐｌｉｃａｔｉｏｎ／ｖｎｄ．ｓｙｎｃｍｌ．ｄｍ＋ｗｂｘｍｌの値を有することができる。サーブス・ガイドは、出力部６０５により送信機６００から出力されることができ、遠隔端末に伝送されることができる。
【００６３】
別の例では、送信機６００は、端末プロビジョニングがサービスのアクセスとして宣言されるサービス・ガイドをアセンブルする。この例では、端末プロビジョニング情報は、端末プロビジョニング・モジュール６０２において受信されることになる。１つの例は、サービス・ガイドを認証ユーザだけに与えるための、サービス・プロバイダから受信した認証情報を含む。アセンブラ６０３は、例えば、サービス・フラグメント、アクセス・フラグメント、コンテンツ・フラグメントを含む対応するサービス・ガイドをアセンブルすることができる。サービス・フラグメントは、端末プロビジョニング又はあらゆるサービスのタイプを示すことができるタイプ属性を含むことができる。アクセス・フラグメントは、さらに、端末プロビジョニングに関連するアプリケーションを示すエレメントを含むことができる。例えば、アクセス・フラグメントは、ＡｐｐｌｉｃａｔｉｏｎＳｐｅｃエレメントを含むことができる。このエレメントは、さらに、ａｐｐｌｉｃａｔｉｏｎ／ｖｎｄ．ｓｙｎｃｍｌ．ｄｍ＋ｗｂｘｍｌの値を有することができる。
【００６４】
さらに、アクセス・フラグメントは、サービス・ガイドに対するアクセスを定めるタイプ属性を含むことができる。例えば、タイプは、適宜、ブロードキャスト伝送として又は対話型伝送スキームとして指定することができる。
【００６５】
この例におけるコンテンツ・フラグメントは、端末プロビジョニングを指定するファイルを含むことができる。一例として、ファイルは、ａｐｐｌｉｃａｔｉｏｎ／ｖｎｄ．ｓｙｎｃｍｌ．ｄｍ＋ｗｂｘｍｌの値を有することができる。
【００６６】
図７は、端末プロビジョニングに関連するサービス・ガイドを伝送する例を示すフローチャートである。この例では、サービス・ガイド又はＥＳＧフラグメントがステップ７０２で生成される。例えば、送信機は、受信機又は受信機のグループに対する端末プロビジョニング・パラメータ又はメッセージを含むことができる対応するプログラム又はサービスに関する情報を含むＥＳＧフラグメントを生成することができる。ＥＳＧフラグメントは、例えば、端末プロビジョニング・サービスに対応するタイプ属性をさらに含むことができるサービス・フラグメントを含むことができる（ステップ７０３）。別の例では、パラメータ又は属性は、サービス・フラグメント内のタイプ・パラメータの整数値とすることができ、この整数値は、端末プロビジョニングの表示に対応する。
【００６７】
ＥＳＧフラグメントは、さらに、端末がどのようにサービスにアクセスすることができるかを示すアクセス・フラグメントを含むことができ、さらに、サービス・ガイド又はＥＳＧフラグメントに対するアクセスを定めるタイプ・エレメントを含むことができる（ステップ７０４）。一例として、アクセス・タイプは、ブロードキャスト伝送として示すことができる（例えば、ＴＰ−５インターフェースにより伝送される）。或いは、アクセス・タイプは、対話型伝送スキームとして示すことができる（例えば、ＴＰ−７インターフェースにより伝送される）。さらに、アクセス・フラグメントは、ａｐｐｌｉｃａｔｉｏｎ／ｖｎｄ．ｓｙｎｃｍｌ．ｄｍ＋ｗｂｘｍｌの値をもつＡｐｐｌｉｃａｔｉｏｎＳｐｅｃエレメントのような、端末プロビジョニングに関連するアプリケーションを示すエレメントを含むことができる（ステップ７０４）。
【００６８】
ＥＳＧフラグメントは、さらに、端末プロビジョニング・メッセージを指定するファイルを含むことができるコンテンツ・フラグメントを含むことができる（ステップ７０５）。１つの例では、ファイルは、ＷＢＸＭＬによりエンコードされるＯＭＡ  ＤＭメッセージであるａｐｐｌｉｃａｔｉｏｎ／ｖｎｄ．ｓｙｎｃｍｌ．ｄｍ＋ｗｂｘｍｌのタイプのものとすることができる。
【００６９】
ステップ７０６では、ＥＳＧフラグメントは、端末又は受信機に伝送される。端末又は受信機は、このように、例えば、端末構成パラメータ、データ、又はアプリケーションのような端末プロビジョニング・データを受信することができる。
【００７０】
図８は、ＥＳＧフラグメントにおける端末プロビジョニング・データを受信する受信機又は端末の例を示すフローチャートである。この例のステップ８０１においては、端末又は受信機は、ＥＳＧフラグメントを受信する。ステップ８０２においては、端末の解析機は、端末プロビジョニングに関連するデータについてＥＳＧフラグメントを解析することができる。ＥＳＧフラグメントは、端末で識別することができる端末プロビジョニングに関連する端末プロビジョニング・サービスのタイプを示すタイプ属性のようなパラメータを含むことができるサービス・フラグメントを含むことができる（ステップ８０３）。
【００７１】
ＥＳＧフラグメントは、さらに、タイプ・パラメータを含むアクセス・フラグメントを含むことができる。さらに、ＥＳＧフラグメントは、端末プロビジョニングに関連するアプリケーションを指定するエレメントを含むことができる。１つの例では、エレメントは、ａｐｐｌｉｃａｔｉｏｎ／ｖｎｄ．ｓｙｎｃｍｌ．ｄｍ＋ｗｂｘｍｌの値をもつａｐｐｌｉｃａｔｉｏｎＳｐｅｃエレメントである（ステップ８０４）。
【００７２】
ＥＳＧフラグメントは、さらに、端末プロビジョニング・メッセージを指定するファイルを含むコンテンツ・フラグメントを含むことができる（ステップ８０５）。１つの例では、ファイルは、ＯＭＡ  ＤＭプロニジョニング・メッセージを含むことができる。ファイルは、さらに、ＷＢＸＭＬによりエンコードされるＯＭＡ  ＤＭメッセージであるａｐｐｌｉｃａｔｉｏｎ／ｖｎｄ．ｓｙｎｃｍｌ．ｄｍ＋ｗｂｘｍｌのタイプのものとすることができる。ステップ８０６においては、端末プロビジョニング・パラメータは、端末で受信され、処理される。
【００７３】
本発明の実施形態は、ここに開示された新規な特徴又は特徴の組み合わせを、明示的に又は何らかの一般化した形で含むことができる。現在のところ好ましい本発明を実施する形態を含む特定の例に関して説明されたが、当業者であれば、上述のシステム及び技術の種々の変形及び置換があることを理解するであろう。したがって、本発明の精神及び範囲は、添付の特許請求の範囲に述べられたように広く解釈されるべきである。
【図面の簡単な説明】
【００７４】
【図１】本発明の種々の態様が実施することができる無線通信システムのブロック図を示す。
【図２】本発明の１つ又はそれ以上の例示的な実施形態を実施することができる好適なデジタル・ブロードキャスト受信機を示す。
【図３】本発明の１つ又はそれ以上の例示的な実施形態を実施することができるトランスポート・オブジェクトの例の概略図を示す。
【図４】本発明の１つ又はそれ以上の例示的な実施形態を実施することができる単一のトランスポート・オブジェクトを送給する例を示す。
【図５】本発明の１つ又はそれ以上の例示的な実施形態を実施することができる受信機の例を示す。
【図６】本発明の１つ又はそれ以上の例示的な実施形態を実施することができる送信機の例を示す。
【図７】本発明の１つ又はそれ以上の例示的な実施形態を実施することができるサービス又はサービスのアクセスとして端末プロビジョニングに対応するＥＳＧフラグメント伝送の例のフローチャートを示す。
【図８】本発明の１つ又はそれ以上の例示的な実施形態を実施することができるサービス又はサービスのアクセスとして端末プロビジョニングに対応するＥＳＧフラグメント受信の例のフローチャートを示す。
【図１】
2009512305.tif 000003
【図２】
2009512305.tif 000004
【図３】
2009512305.tif 000005
【図４】
2009512305.tif 000006
【図５】
2009512305.tif 000007
【図６】
2009512305.tif 000008
【図７】
2009512305.tif 000009
【図８】
2009512305.tif 000010
【国際調査報告】
2009512305.tif 000011
2009512305.tif 000012
2009512305.tif 000013
2009512305.tif 000014